(57)【要約】【課題】  外部のデータベースからアドレス情報を取得し、取得したアドレス情報をアドレス帳の任意の項目に正確に登録可能な通信装置を提供する。【解決手段】  宛先毎に複数項目の宛先情報を登録する宛先リスト１０１から宛先を選択指定して通信可能な通信装置１０であって、複数の属性を有するアドレス情報を格納する外部のディレクトリサーバ４３からアドレス情報を取得するアドレス情報取得部１１１と、宛先リスト１０１に取得したアドレス情報を登録する登録部１１５と、宛先リスト１０１に登録する項目と属性の対応関係を定義する設定テーブル１０７と、この対応関係の設定を受け付ける設定受付部１２１と、受け付けた設定にしたがって、対応関係を更新する更新部１２３と、設定テーブル１０７に定義されている属性の値を取得したアドレス情報から抽出し、宛先情報の対応する項目の値として登録部１１５に登録させる属性値抽出部１１３と、を備える。【選択図】      図２
2006154891.tif 000002
【特許請求の範囲】
【請求項１】
宛先毎に複数項目の宛先情報を登録する宛先リストを含み、前記宛先リストから宛先を選択指定して通信可能な通信装置であって、
複数の属性を有するアドレス情報を格納する外部のデータベースからネットワークを介して前記アドレス情報を取得する取得手段と、
前記宛先リストに前記取得手段が取得した前記アドレス情報を登録する登録手段と、
前記登録手段が前記宛先リストに登録する項目と属性の対応関係を定義する設定テーブルと、
前記設定テーブルの前記対応関係の設定を受け付ける受付手段と、
前記受付手段が受け付けた前記対応関係の前記設定にしたがって、前記設定テーブルの項目と属性の対応関係を更新する更新手段と、
前記設定テーブルにアクセスし、前記設定テーブルの前記対応関係に定義されている前記属性の値を前記取得手段が取得した前記アドレス情報から抽出し、前記宛先情報の対応する項目の値として前記登録手段に登録させる属性値抽出手段と、
を備えたことを特徴とする通信装置。
【請求項２】
請求項１に記載の通信装置において、
前記受付手段は、
前記設定テーブルの前記項目と前記属性の前記対応関係を表示する表示部と、
ユーザから前記対応関係の修正を受け付ける修正受付部と、を含み、
前記更新手段は、前記受付手段の前記修正受付部が受け付けた前記修正にしたがって、前記設定テーブルの前記対応関係を更新することを特徴とする通信装置。
【請求項３】
請求項１または２に記載の通信装置において、
前記更新手段が前記設定テーブルを更新した後、前記取得手段が前記アドレス情報を取得し、
前記登録手段が、前記更新手段が更新した前記設定テーブルにしたがって、前記宛先リストに前記アドレス情報を登録することを特徴とする通信装置。
【請求項４】
請求項１乃至３いずれかに記載の通信装置において、
前記データベースは、ＬＤＡＰに基づくディレクトリサーバに含まれることを特徴とする通信装置。
【発明の詳細な説明】
【技術分野】
【０００１】
本発明は、通信装置に関し、特に、ディレクトリサービスを利用してアドレス情報を取得して通信を行う通信装置に関する。
【背景技術】
【０００２】
ネットワーク技術の普及にともない、たとえばファクシミリ装置やＭＦＰ（Multi Functional Peripheral）などの情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファックス機能等を備え、他のファクシミリ装置、コンピュータ、およびインターネットファックス装置等と情報の送受信を行うことができる。
【０００３】
ファクシミリ装置を使い、ファクシミリ原稿を所定の送信先に送信する場合、ユーザは、送信する原稿をファクシミリ装置に読み取らせ、送信先のファクシミリ番号をダイヤルする。このダイヤル作業を簡単にするために、多くのファクシミリ装置は、たとえば短縮ダイヤルや電話帳などの機能を備える。従来、これらの短縮ダイヤルや電話帳などの情報は、ファクシミリ装置毎に保有されていた。
【０００４】
しかし、近年、上述したように、ファクシミリ装置がネットワークに接続されるようになり、同じネットワークに接続されたディレクトリサーバに蓄積された情報をファクシミリ装置から読み出すことが可能となってきた。
【０００５】
特許文献１には、ＬＤＡＰ（Lightweight Directory Access Protocol）に基づくディレクトリサービスにおいて、クライアント側からＬＤＡＰに基づく検索を検索用ディレクトリサーバに実行させ、必要な情報を検索する文書ファイル検索システムが開示されている。
【０００６】
このようなディレクトリサーバに、電話帳などの情報を登録しておくことにより、従来はファクシミリ装置毎に保有していた電話帳などの情報を一元管理することが可能となっている。
【特許文献１】特開２００１−３２５２９０号公報
【発明の開示】
【発明が解決しようとする課題】
【０００７】
しかしながら、上記文献記載の従来技術は、以下の点で改善の余地を有していた。
【０００８】
ディレクトリサーバの属性は、サーバ毎に異なっている場合や、装置側で期待している値と異なる値が入っている場合がある。このため、ディレクトリサーバから取得したアドレス情報を電話帳に登録しようとした場合に、予期しない値が電話帳に登録されたり、登録できなかったりしてしまう。
【０００９】
そこで、ディレクトリサーバから取得したアドレス情報が正しく電話帳に登録できるように、電話帳の項目に登録する属性を修正できたり、ユーザが意図した値が電話帳に登録できるように、電話帳の項目に登録する属性を任意に指定できたりすることが望まれていた。
【００１０】
本発明は上記事情に鑑みてなされたものであり、その目的とするところは、外部のデータベースからアドレス情報を取得し、取得したアドレス情報をアドレス帳の任意の項目に正確に登録可能な通信装置を提供することにある。
【課題を解決するための手段】
【００１１】
本発明によれば、宛先毎に複数項目の宛先情報を登録する宛先リストを含み、前記宛先リストから宛先を選択指定して通信可能な通信装置であって、
複数の属性を有するアドレス情報を格納する外部のデータベースからネットワークを介して前記アドレス情報を取得する取得手段と、
前記宛先リストに前記取得手段が取得した前記アドレス情報を登録する登録手段と、
前記登録手段が前記宛先リストに登録する項目と属性の対応関係を定義する設定テーブルと、
前記設定テーブルの前記対応関係の設定を受け付ける受付手段と、
前記受付手段が受け付けた前記対応関係の前記設定にしたがって、前記設定テーブルの項目と属性の対応関係を更新する更新手段と、
前記設定テーブルにアクセスし、前記設定テーブルの前記対応関係に定義されている前記属性の値を前記取得手段が取得した前記アドレス情報から抽出し、前記宛先情報の対応する項目の値として前記登録手段に登録させる属性値抽出手段と、
を備えたことを特徴とする通信装置が提供される。
【００１２】
ここで、データベースは、ディレクトリサーバ、たとえば、ＬＤＡＰに基づくディレクトリサーバに含まれてよい。また、ディレクトリサーバのデータベースには、複数の登録者について複数の属性を有するアドレス情報が格納されている。ここで、属性は、たとえば、登録者名、会社名、所属部署名、電話番号、ファクシミリ番号、メールアドレスなどを含む。
【００１３】
この発明によれば、外部のデータベースから取得したアドレス情報の各属性値を宛先リストの任意の項目に正確に登録することができる通信装置が提供される。
【００１４】
上記通信装置において、前記受付手段は、前記設定テーブルの前記項目と前記属性の前記対応関係を表示する表示部と、ユーザから前記対応関係の修正を受け付ける修正受付部と、を含むことができ、前記更新手段は、前記受付手段の前記修正受付部が受け付けた前記修正にしたがって、前記設定テーブルの前記対応関係を更新することができる。
【００１５】
ここで、表示部は、操作パネルに設けられた液晶ディスプレイなどであり、修正受付部は、操作パネルに設けられた操作ボタン、タッチパネル、キーボードなどである。この構成によれば、ユーザが意図した属性の宛先情報を宛先リストに操作パネルなどから手入力で登録することができるので、外部のデータベースから取得したアドレス情報が宛先リストの予期せぬ項目に登録されたり、登録されなかったりした場合に、外部のデータベースに適応した属性を宛先リストの項目に対応付けるようにユーザが修正することができ、正しく宛先情報を登録することができることとなる。あるいは、通信装置において、宛先リストの項目が固定である場合でも、ユーザが必要とする宛先情報を必要に応じてカスタマイズして登録することができるので、使い勝手が向上する。
【００１６】
上記通信装置において、前記更新手段が前記設定テーブルを更新した後、前記取得手段が前記アドレス情報を取得し、前記登録手段が、前記更新手段が更新した前記設定テーブルにしたがって、前記宛先リストに前記アドレス情報を登録することができる。この構成によれば、設定を更新したとき、自動的に宛先リストも更新されるので、利便性が増す。
【００１７】
上記通信装置において、前記データベースは、ＬＤＡＰに基づくディレクトリサーバに含むことができる。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、外部のデータベースからアドレス情報を取得し、取得したアドレス情報をアドレス帳の任意の項目に正確に登録可能な通信装置が提供される。
【発明を実施するための最良の形態】
【００２０】
以下、本発明の実施の形態について、図面を用いて説明する。尚、すべての図面において、同様な構成要素には同様の符号を付し、適宜説明を省略する。
【００２１】
本発明の実施の形態にかかる通信装置（通信装置１０）は、宛先毎に複数項目の宛先情報を登録する宛先リスト（宛先リスト１０１）を含み、宛先リストから宛先を選択指定して通信可能な通信装置であって、複数の属性を有するアドレス情報を格納する外部のデータベース（ディレクトリサーバ４３）からネットワーク（ネットワーク４１）を介してアドレス情報を取得する取得手段（アドレス情報取得部１１１）と、宛先リストに取得手段が取得したアドレス情報を登録する登録手段（登録部１１５）と、登録手段が宛先リストに登録する項目と属性の対応関係を定義する設定テーブル（設定テーブル１０７）と、設定テーブルの対応関係の設定を受け付ける受付手段（設定受付部１２１）と、受付手段が受け付けた対応関係の設定にしたがって、設定テーブルの項目と属性の対応関係を更新する更新手段（更新部１２３）と、設定テーブルにアクセスし、設定テーブルの対応関係に定義されている属性の値を取得手段が取得したアドレス情報から抽出し、宛先情報の対応する項目の値として登録手段に登録させる属性値抽出手段（属性値抽出部１１３）と、を備えたことを特徴とする。
【００２２】
図１は、本実施の形態の通信装置のネットワーク構成を示すブロック図である。通信装置１０は、ネットワーク４１を介して複数のディレクトリサーバ４３に接続される。各ディレクトリサーバ４３は、様々な情報が蓄積されたデータベース（不図示）を有する。通信装置１０は、ディレクトリサーバ４３に検索条件を送信して検索を実行させ、ディレクトリサーバ４３から検索結果を取得する。通信装置１０は、たとえば、ＬＤＡＰに基づくディレクトリサービスを利用して、ＬＤＡＰに基づく検索をディレクトリサーバ４３に実行させる。
【００２３】
本実施の形態において、ディレクトリサーバ４３のデータベースには、複数の登録者について複数の属性を有するアドレス情報が格納されている。ここで、属性は、たとえば、登録者名、会社名、所属部署名、電話番号、ファクシミリ番号、メールアドレスなどを含む。本実施の形態において、通信装置１０は、相手先のアドレス情報を得るために、ディレクトリサーバ４３に問い合わせを行う。
【００２４】
通信装置１０は、他の通信装置と複数の通信方式で通信が可能である。通信装置１０は、たとえば、ＰＳＴＮ（公衆交換電話網）４５を通じて、電話機３０およびファックス端末３１と通信する。また、通信装置１０は、たとえば、インターネットなどのネットワーク４７を通じて、Ｅメール端末３３、ＩＰ電話端末３４およびインターネットファックス端末３５と通信する。
【００２５】
また、ここでは図示していないが、通信装置１０は、携帯電話端末と通信を行うこともでき、その場合、無線基地局および無線中継局を介して通信する。
【００２６】
通信装置１０は、通信部１１と、操作部１３と、表示部１５と、制御部１７と、記憶装置１９と、インタフェース部２１と、を含む。通信装置１０は、たとえば、ネットワークファクシミリ装置、ＭＦＰ（Multi Functional Peripheral）などである。なお、図１において、本発明の本質に関わらない部分の構成については省略してあり、たとえば、ファクシミリ装置の構成である原稿読み取り部、画像処理部および記録部や、電話装置の構成である音声出力部、集音部および音声処理部などは図示されていない。
【００２７】
また、通信装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
通信部１１は、電話機３０、ファックス端末３１、Ｅメール端末３３、ＩＰ電話端末３４およびインターネットファックス端末３５などと通信を行う。操作部１３は、通信装置１０のユーザから各種設定および入力等の指示を受け付ける。操作部１３は、たとえば、操作ボタン、スイッチ、レバー、キーボード、タッチパネルなどである。表示部１５は、各種情報表示、操作画面表示、通信装置１０の動作や状態表示などを行う。表示部１５は、たとえば、ランプ、ＬＥＤ、ＣＲＴモニタ、液晶ディスプレイなどである。
【００２９】
制御部１７は、通信装置１０の各種要素とともに装置全体を制御する。記憶装置１９については、後述する。インタフェース部２１は、ネットワーク４１を介して接続された複数のディレクトリサーバ４３との通信を行う。なお、図１では、ネットワーク４１およびネットワーク４７を介した通信を、通信部１１およびインタフェース部２１によってそれぞれ行っているが、これに限定されるものではなく、同じインタフェース部にて行ってもよい。
【００３０】
図２は、図１の通信装置１０の制御部１７および記憶装置１９を詳細に示す機能ブロック図である。制御部１７は、アドレス情報取得部１１１と、属性値抽出部１１３と、登録部１１５と、設定受付部１２１と、更新部１２３と、表示処理部１３１と、を含む。記憶装置１９は、宛先リスト１０１と、設定テーブル１０７と、を含む。
【００３１】
宛先リスト１０１は、図３（ａ）に示すように、宛先毎に、名前１０３と、メールアドレス１０４と、ファックス番号１０５と、グループ１０６と、が登録される。この宛先リスト１０１は、通信時にユーザが宛先を参照する際、表示部１５に表示されるアドレス帳のイメージと同じであるとする。
【００３２】
また、設定テーブル１０７は、図４（ａ）に示すように、宛先リスト項目１０８とＬＤＡＰ属性１０９の対応関係を定義する。ここでは、宛先リスト項目１０８として名前１０３、メールアドレス１０４、ファックス番号１０５、およびグループ１０６が設定されており、名前１０３には、ＬＤＡＰ属性１０９の"ｃｎ"が登録され、メールアドレス１０４には、ＬＤＡＰ属性１０９の"ｍａｉｌ"、ファックス番号１０５には、ＬＤＡＰ属性１０９の"ｆａｃｓｉｍｉｌｅｔｅｌｅｐｈｏｎｅｎｕｍｂｅｒ"、グループ１０６には、ＬＤＡＰ属性１０９の"ＤｅｐａｒｔｍｅｎｔＮａｍｅ"が登録されている。
【００３３】
この設定テーブル１０７も、ユーザが設定テーブル１０７における宛先リスト項目１０８とＬＤＡＰ属性１０９の対応関係を修正する際に、表示部１５に表示される設定テーブルのイメージと同じものとする。
【００３４】
図２に戻り、アドレス情報取得部１１１は、ディレクトリサーバ４３に対してネットワーク４１を介してアドレス情報を問い合わせ取得する。属性値抽出部１１３は、設定テーブル１０７にアクセスし、設定テーブル１０７の対応関係に定義されている属性の値をアドレス情報取得部１１１が取得したアドレス情報から抽出し、宛先情報の対応する項目の値として登録部１１５に登録させる。
【００３５】
登録部１１５は、属性値抽出部１１３が抽出した値を宛先リスト１０１の複数の項目に対応付けて登録する。すなわち、設定テーブル１０７の設定に従って、ディレクトリサーバ４３から応答されたアドレス情報から抽出された"ｃｎ"属性の値を宛先リスト１０１の名前１０３に登録し、"ｍａｉｌ"属性の値を宛先リスト１０１のメールアドレス１０４に登録し、"ｆａｃｓｉｍｉｌｅｔｅｌｅｐｈｏｎｅｎｕｍｂｅｒ"属性の値を宛先リスト１０１のファックス番号１０５に登録し、"ＤｅｐａｒｔｍｅｎｔＮａｍｅ"属性の値を宛先リスト１０１のグループ１０６にそれぞれ登録する。
【００３６】
本実施形態において、設定テーブル１０７の項目と属性の対応関係はユーザによって任意に設定および修正が可能である。設定受付部１２１は、この設定を受け付ける。たとえば、操作部１３を介してユーザが入力した設定変更を受け付ける。更新部１２３は、設定受付部１２１が受け付けた設定にしたがって、設定テーブル１０７を更新するとともに、必要に応じてアドレス情報取得部１１１にアドレス情報の取得を指示する。これにより新しい設定にしたがって宛先リスト１０１が更新される。
【００３７】
表示処理部１３１は、設定テーブル１０７の設定を変更する際、設定テーブル１０７を表示部１５に表示させたり、通信時に宛先リスト１０１を表示部１５に表示させたりする。上述したように、宛先リスト１０１および設定テーブル１０７は、図３および図４に示したテーブルのイメージで表示部１５に表示させることができる。
【００３８】
このように構成された本実施形態の通信装置１０の動作について、以下に説明する。図５は、本実施形態の通信装置１０の動作の一例を示すフローチャートである。以下、図２乃至図５を用いて説明する。
【００３９】
まず、アドレス情報取得部１１１がディレクトリサーバ４３に対してネットワーク４１を介してアドレス情報を問い合わせ取得する（Ｓ１１）。つづいて、属性値抽出部１１３が設定テーブル１０７にアクセスし、アドレス情報取得部１１１が取得したアドレス情報から、設定テーブル１０７に登録されている属性を判別し、属性値を抽出し、登録部１１５が、属性値抽出部１１３が抽出した属性値を宛先リスト１０１の対応する項目に宛先情報として登録する（Ｓ１３）。
【００４０】
すなわち、属性値抽出部１１３は、図４（ａ）に示す設定テーブル１０７にアクセスし、各宛先リスト項目１０８に対応するＬＤＡＰ属性１０９を取得し、アドレス情報取得部１１１が取得したアドレス情報から設定テーブル１０７に登録されているＬＤＡＰ属性１０９に該当する属性値をそれぞれ抽出する。抽出された属性値は、それぞれ図３（ａ）に示すように、宛先リスト１０１の各項目、たとえば、名前１０３、メールアドレス１０４、ファックス番号１０５、およびグループ１０６にそれぞれ登録される。つづいて、表示処理部１３１が表示部１５に宛先リスト１０１を表示する（Ｓ１５）。
【００４１】
また、本実施形態の通信装置１０において、設定テーブル１０７を更新する際の動作について、以下に説明する。図６は、本実施形態の通信装置１０の設定テーブル１０７更新時の動作の一例を示すフローチャートである。以下、図３乃至図６を用いて説明する。
【００４２】
ここでは、図４（ａ）に示す設定テーブル１０７を図４（ｂ）に示す設定テーブル１０７のように変更する場合について説明する。図６において、まず、設定受付部１２１は、宛先リスト項目１０８のメールアドレス１０４に対応するＬＤＡＰ属性１０９を"ｔｅｌｅｐｈｏｎｅｎｕｍｂｅｒ"にする変更を受け付ける（Ｓ２１）。ここで、設定受付部１２１における設定テーブル１０７の変更の受け付けは、たとえば、該当するＬＤＡＰ属性１０９の欄にキーボードから直接文字を入力する方法や、予め登録可能なＬＤＡＰ属性１０９がプルダウンリストにて表示されるようにし、リストの中から選択する方法などが考えられる。
【００４３】
更新部１２３は、設定受付部１２１が受け付けた変更にしたがって、設定テーブル１０７を更新する（Ｓ２３）。そして、図５のステップＳ１１に進み、アドレス情報取得部１１１がディレクトリサーバ４３に対してネットワーク４１を介してアドレス情報を問い合わせ取得する。
【００４４】
つづいて、属性値抽出部１１３が図６のステップＳ２３で更新された設定テーブル１０７にアクセスし、アドレス情報取得部１１１が取得したアドレス情報から設定テーブル１０７の複数の属性に対応する属性を判別し、該当する複数の項目の値を抽出し、登録部１１５が、属性値抽出部１１３が抽出した値を宛先リスト１０１の複数の項目に対応付けて登録する（Ｓ１３）。
【００４５】
そして、表示処理部１３１が表示部１５に更新された宛先リスト１０１を表示する（Ｓ１５）。このようにして、表示される宛先リスト１０１は、図３（ｂ）に示すように、メールアドレス１０４の欄に電話番号が表示されるようになる。
【００４６】
以上説明したように、本実施形態の通信装置１０によれば、外部のデータベースから取得したアドレス情報の各属性値を宛先リストの任意の項目に正確に登録することができる通信装置が提供される。また、設定を更新したとき、自動的に宛先リストも更新されるので、利便性が増す。
【００４７】
たとえば、外部のデータベースから取得したアドレス情報の属性が、通信装置１０の設定テーブル１０７に定義されている属性と一致しなかった場合に、宛先リスト１０１に正しく宛先情報が登録されないという不都合を回避することが可能となる。
【００４８】
すなわち、ユーザが意図した属性の宛先情報を宛先リストに登録することができるので、外部のデータベースから取得したアドレス情報が宛先リストの予期せぬ項目に登録されたり、登録されなかったりした場合に、外部のデータベースに適応した属性を宛先リストの項目に対応付けるようにユーザが修正することができ、正しく宛先情報を登録することができることとなる。また、通信装置１０が取得するアドレス情報の属性をユーザが設定テーブル１０７に設定するだけで、ユーザの意図した属性を宛先リスト１０１に登録することが可能となる。あるいは、通信装置１０において、宛先リスト１０１の項目が固定である場合でも、ユーザが必要とする宛先情報を必要に応じてカスタマイズして登録することができるので、使い勝手が向上する。
【００４９】
以上、図面を参照して本発明の実施形態について述べたが、これらは本発明の例示であり、上記以外の様々な構成を採用することもできる。
【００５０】
たとえば、本実施形態において、宛先リスト１０１の項目は、固定であったがこれに限定されない。たとえば、設定テーブル１０７において、宛先リスト項目１０８も設定変更可能とすることもできる。
【図面の簡単な説明】
【００５１】
【図１】本実施の形態の通信装置のネットワーク構成を示すブロック図である。
【図２】図１の通信装置の制御部および記憶装置の機能ブロック図である。
【図３】図２の宛先リストの構造の一例を示す図である。
【図４】図２の設定テーブルの構造の一例を示す図である。
【図５】図１の通信装置の動作の一例を示すフローチャートである。
【図６】図１の通信装置の設定テーブル更新時の動作の一例を示すフローチャートである。
【符号の説明】
【００５２】
１０  通信装置
１１  通信部
１３  操作部
１５  表示部
１７  制御部
１９  記憶装置
２１  インタフェース部
３０  電話機
３１  ファックス端末
３３  Ｅメール端末
３４  ＩＰ電話端末
３５  インターネットファックス端末
４１  ネットワーク
４３  ディレクトリサーバ
４５  ＰＳＴＮ
４７  ネットワーク
１０１  宛先リスト
１０７  設定テーブル
１０８  宛先リスト項目
１０９  ＬＤＡＰ属性
１１１  アドレス情報取得部
１１３  属性値抽出部
１１５  登録部
１２１  設定受付部
１２３  更新部
１３１  表示処理部
【図１】
2006154891.tif 000003
【図２】
2006154891.tif 000004
【図３】
2006154891.tif 000005
【図４】
2006154891.tif 000006
【図５】
2006154891.tif 000007
【図６】
2006154891.tif 000008